(57)【要約】【課題】シンクキャビネット内部における結露やかびの発生を回避して、衛生的な環境を維持することのできるシステムキッチン。【解決手段】シンク（４）の下方に設けられたシンクキャビネット（１３）を備えたシステムキッチン（Ｓ）。シンクを前方から覆う幕板（１９）には、シンクキャビネットの内部と外部との間で連通する第１通気孔（２１）が形成され、シンクキャビネットの下方において最下段に設けられた引出し収納部（１７）には、この引出し収納部の内部と外部との間で連通する第２通気孔（２２）が形成されている。第２通気孔は、引出し収納部のフロントパネル（１７ａ）の端部に取り付けられたサイドキャップ（１７ｂ，１７ｃ）に形成されている。【選択図】  図２
2004290506.tif 000002
【特許請求の範囲】
【請求項１】
シンクの下方に設けられたシンクキャビネットを備えたシステムキッチンにおいて、
前記シンクを前方から覆う幕板には、前記シンクキャビネットの内部と外部との間で連通する第１通気孔が形成され、
前記シンクキャビネットの下方において最下段に設けられた引出し収納部には、該引出し収納部の内部と外部との間で連通する第２通気孔が形成されていることを特徴とするシステムキッチン。
【請求項２】
前記第２通気孔は、前記引出し収納部のフロントパネルの端部に取り付けられたサイドキャップに形成されていることを特徴とする請求項１に記載のシステムキッチン。
【発明の詳細な説明】
【０００１】
【発明の属する技術分野】
本発明は、システムキッチンに関し、特にシンクの下方に設けられたシンクキャビネットの環境改善に関するものである。
【０００２】
【従来の技術】
シンクの下方に設けられたシンクキャビネットでは、給湯管や排水管が配置されているため、またシンクで温水を使用するため、高温多湿な環境になる。その結果、システムキッチンが設置されている室内とシンクキャビネットの内部との温度差などに起因して、シンクキャビネット内部で結露が発生し易い。
【０００３】
そこで、たとえば実公昭５５−５０７０号公報には、シンクの前方に配置された戸当り前板に通気口を設けて、室内とキャビネットの内部との温度差を低減することにより、結露の発生を防止している。
【０００４】
【特許文献１】
実公昭５５−５０７０号公報
【０００５】
【発明が解決しようとする課題】
上述の公報に開示された従来技術では、暖かい空気が上昇して戸当り前板に形成された通気口を介して外部へ排出されるので、室内とキャビネットの内部との温度差が低減され、温度差に起因する結露の発生を防止することができる。
【０００６】
しかしながら、従来技術では、水分を多く含んだ多湿な空気が下降してキャビネット内部に滞留することになる。その結果、キャビネット内部に滞留する多湿な空気に起因して結露やかびが発生し易く、衛生的な環境を維持することが困難であるという不都合があった。
【０００７】
本発明は、前述の課題に鑑みてなされたものであり、シンクキャビネット内部における結露やかびの発生を回避して、衛生的な環境を維持することのできるシステムキッチンを提供することを目的とする。
【０００８】
【課題を解決するための手段】
前記課題を解決するために、本発明では、シンクの下方に設けられたシンクキャビネットを備えたシステムキッチンにおいて、
前記シンクを前方から覆う幕板には、前記シンクキャビネットの内部と外部との間で連通する第１通気孔が形成され、
前記シンクキャビネットの下方において最下段に設けられた引出し収納部には、該引出し収納部の内部と外部との間で連通する第２通気孔が形成されていることを特徴とするシステムキッチンを提供する。
【０００９】
本発明の好ましい態様によれば、前記第２通気孔は、前記引出し収納部のフロントパネルの端部に取り付けられたサイドキャップに形成されている。
【００１０】
【発明の実施の形態】
本発明のシステムキッチンでは、シンクを前方から覆う幕板に、シンクキャビネットの内部と外部（システムキッチンが設置されている室内）との間で連通する第１通気孔が形成されている。加えて、シンクキャビネットの下方において最下段に設けられた引出し収納部に、この引出し収納部の内部と外部との間で連通する第２通気孔が形成されている。具体的には、たとえば引出し収納部のフロントパネルの両端に取り付けられたサイドキャップに第２通気孔を形成することができる。
【００１１】
その結果、本発明では、シンクキャビネット内部の暖かい空気が上昇し、幕板に形成された第１通気孔を介して外部へ排出されるので、室内とシンクキャビネット内部との温度差が解消され、温度差に起因する結露の発生を防止することができる。また、シンクキャビネット内部の多湿な空気が引出し収納部の内部まで下降し、引出し収納部に形成された第２通気孔を介して外部へ排出されるので、室内とシンクキャビネット内部との湿度差が解消され、湿度差に起因する結露やかびの発生を防止することができる。
【００１２】
以上のように、本発明では、室内とシンクキャビネット内部との温度差や湿度差を解消することにより、シンクキャビネット内部における結露やかびの発生を回避して、衛生的な環境を維持することができる。なお、本発明では、引出し収納部においてサイドキャップに第２通気孔を形成することにより、第２通気孔が外側に向かって常時露出することがなく、システムキッチンのデザイン的な美観を損なうことがないという利点がある。また、埃やゴミが第２通気孔に付着することを防止し、第２通気孔が目詰まりしにくくなる。
【００１３】
本発明の実施形態を、添付図面に基づいて説明する。
図１は、本発明の実施形態にかかるシステムキッチンの構成を概略的に示す斜視図である。また、図２は、図１のシステムキッチンにおいて各収納部分が開いた様子を示す斜視図である。さらに、図３は、シンクキャビネットの下方において最下段に設けられた引出し収納部の構成を概略的に示す斜視図である。
【００１４】
図１および図２を参照すると、本実施形態のシステムキッチンＳは、床Ｆの上に載置されたベースキャビネット１を備えている。ベースキャビネット１の上部には、システムキッチンＳに向かって左側からガスコンロ（または電気コンロ）２と、一対のカウンタ３ａおよび３ｂとが設けられ、この一対のカウンタ３ａと３ｂとの間にはシンク４が形成されている。また、シンク４に隣接して、たとえば湯水混合型の水栓（不図示）が設けられている。
【００１５】
ベースキャビネット１は、４つのキャビネット１１〜１４と、その下方にそれぞれ設けられた４つの引出し収納部１５〜１８とを備えている。すなわち、ガスコンロ２の下方にはキャビネット１１が、ガスコンロ２とシンク４との間の第１カウンタ３ａの下方にはキャビネット１２が、シンク４の下方にはシンクキャビネット１３が、シンク４よりも端部側の第２カウンタ３ｂの下方にはキャビネット１４がそれぞれ設けられている。
【００１６】
また、キャビネット１１の下方において最下段には引出し収納部１５が設けられ、キャビネット１２の下方において最下段には引出し収納部１６が設けられている。さらに、シンクキャビネット１３の下方において最下段には引出し収納部１７が設けられ、キャビネット１４の下方において最下段には引出し収納部１８が設けられている。
【００１７】
本実施形態では、図１および図２に示すように、シンク４を前方から覆う幕板１９に、シンクキャビネット１３の内部と外部（システムキッチンＳが設置された室内）との間で連通する第１通気孔２１が形成されている。ここで、幕板１９は、たとえば適当な金属材料、樹脂材料、または木質材料により形成されている。そして、幕板１９には、たとえば水平方向に沿って間隔を隔てて複数個の第１通気孔２１が形成されている。
【００１８】
また、図３に示すように、シンクキャビネット１３の下方において最下段に設けられた引出し収納部１７には、具体的にはそのフロントパネル１７ａの両端に取り付けられたサイドキャップ１７ｂおよび１７ｃには、引出し収納部１７の内部と外部（システムキッチンＳが設置された室内）との間で連通する第２通気孔２２が形成されている。ここで、サイドキャップ１７ｂおよび１７ｃは、たとえば適当な樹脂材料により形成されている。そして、サイドキャップ１７ｂおよび１７ｃには、例えば縦横に配置された複数個の第２通気孔２２が形成されている。
【００１９】
以上のように、本実施形態のシステムキッチンＳでは、シンク４を前方から覆う幕板１９に、シンクキャビネット１３の内部と室内との間で連通する一群の第１通気孔２１が形成されている。さらに、シンクキャビネット１３の下方において最下段に設けられた引出し収納部１７では、そのフロントパネル１７ａの両端に取り付けられたサイドキャップ１７ｂおよび１７ｃに、引出し収納部１７の内部と室内との間で連通する一群の第２通気孔２２が形成されている。
【００２０】
その結果、本実施形態では、シンクキャビネット１３の内部の暖かい空気が上昇し、幕板１９に形成された一群の第１通気孔２１を介して外部へ排出されるので、室内とシンクキャビネット１３の内部との温度差が解消され、温度差に起因する結露の発生を防止することができる。また、シンクキャビネット１３の内部の多湿な空気が引出し収納部１７の内部まで下降し、サイドキャップ１７ｂおよび１７ｃに形成された一群の第２通気孔２２を介して外部へ排出されるので、室内とシンクキャビネット１３の内部との湿度差が解消され、湿度差に起因する結露やかびの発生を防止することができる。
【００２１】
こうして、本実施形態のシステムキッチンＳでは、室内とシンクキャビネット１３の内部との温度差や湿度差を解消することにより、シンクキャビネット１３の内部における結露やかびの発生を回避して、衛生的な環境を維持することができる。
【００２２】
また、本実施形態では、シンクキャビネット１３の下方において最下段に設けられた引出し収納部１７で、そのフロントパネル１７ａの両端に取り付けられたサイドキャップ１７ｂおよび１７ｃに一群の第２通気孔２２が形成されている。その結果、一群の第２通気孔２２が外側に向かって常時露出することがなく、システムキッチンＳのデザイン的な美観を損なうことがないという利点がある。また、引出し収納部１７の内部に根菜類（大根、人参、ごぼうなど）を収納する場合には、一群の第２通気孔２２の通気作用により、引出し収納部１７の内部に根菜類の匂いがこもるのを実質的に回避するとともに、根菜類を比較的長期に亘って良好に保存することができる。
【００２３】
なお、上述の実施形態では、複数個の第１通気孔を幕板に対して水平方向に沿って間隔を隔てて形成し、複数個の第２通気孔をサイドキャップに対して縦横に形成している。しかしながら、これに限定されることなく、第１通気孔および第２通気孔の数、形状、配置などについては、本発明の範囲内において様々な変形例が可能である。
【００２４】
また、上述の実施形態では、第２通気孔をサイドキャップに形成しているが、これに限定されることなく、シンクキャビネットの下方において最下段に設けられた引出し収納部の他の部位に第２通気孔を形成することもできる。
【００２５】
また、上述の実施形態では、第１通気孔および第２通気孔を介して自然換気を行っているが、これに限定されることなく、たとえば換気ファンなどを第１通気孔や第２通気孔に対して適切な位置に設けることにより強制換気を行うこともできる。
【００２６】
また、上述の実施形態では、サイドキャップの双方に第２通気孔がそれぞれ形成されているが、これに限定されることなく、いずれか一方のサイドキャップに第２通気孔を形成することもできる。
【００２７】
【発明の効果】
以上説明したように、本発明のシステムキッチンでは、シンクを前方から覆う幕板に第１通気孔を形成するだけでなく、シンクキャビネットの下方において最下段に設けられた引出し収納部にも第２通気孔を形成している。その結果、室内とシンクキャビネット内部との温度差や湿度差を解消することにより、シンクキャビネット内部における結露やかびの発生を回避して、衛生的な環境を維持することができる。
【００２８】
なお、本発明では、シンクキャビネットの下方において最下段に設けられた引出し収納部で、そのフロントパネルの端部に取り付けられたサイドキャップに第２通気孔を形成することにより、第２通気孔が外側に向かって常時露出することがなく、システムキッチンのデザイン的な美観を損なうことがないという利点がある。また、埃やゴミが第２通気孔に付着することを防止し、第２通気孔が目詰まりしにくくなる。
【図面の簡単な説明】
【図１】本発明の実施形態にかかるシステムキッチンの構成を概略的に示す斜視図である。
【図２】図１のシステムキッチンにおいて各収納部分が開いた様子を示す斜視図である。
【図３】シンクキャビネットの下方において最下段に設けられた引出し収納部の構成を概略的に示す斜視図である。
【符号の説明】
Ｓ  システムキッチン
１  ベースキャビネット
２  ガスコンロ（または電気コンロ）
３  カウンタ
４  シンク
１１〜１４  キャビネット
１５〜１８  引出し収納部
１７ａ  フロントパネル
１７ｂ，１７ｃ  サイドキャップ
１９  幕板
２１，２２  通気孔
【図１】
2004290506.tif 000003
【図２】
2004290506.tif 000004
【図３】
2004290506.tif 000005